(57)【要約】      （修正有）【課題】人体工学に符合し、優れた弾性をもち、長く座っていても疲れにくい竹製アームチェアを提供する。【解決手段】底部及び支持部及び座部を含む座椅子ユニットを複数平行に配列し、複数の補強部材で固定する。座椅子ユニットは、彎曲した長棒状の第一竹材と第二竹材と第三竹材からなり、各竹材の間に複数の棒状の補強部材と空間を備える。空間は、底部及び座部では比較的小さい。【選択図】図２
0003164379.tif 000002
【実用新案登録請求の範囲】
【請求項１】
複数の長棒状の竹材と複数の補強部材とからなる底部及び支持部及び座部を含む座椅子ユニットを複数平行に配列し、複数の補強部材で固定してなる人体工学に符合した竹製アームチェアであって、
前記座部と支持部は、彎曲した長棒状の第一竹材と第二竹材からなり、前記第一竹材と第二竹材の間には第一補強部材が設けられ、第一竹材と第二竹材の間は空間を有し、前記第一補強部材は第二竹材の曲がる箇所に配置され、
前記底部と支持部は、前記第一竹材と彎曲した長棒状の第三竹材からなり、前記第一竹材と第三竹材の間には複数の第二補強部材が設けられ、第一竹材と第三竹材の間は徐々に変化する第一空間を備え、前記第一空間は、前記底部では比較的小さく、前記支持部では比較的大きく、
前記第三竹材は前記第二竹材まで延伸し、第二竹材と第三竹材の間には少なくとも一つの第三補強部材が設けられ、前記第三補強部材は第二竹材と第三竹材が接近する端部の位置に配置され、第二竹材と第三竹材の間は徐々に変化する第二空間を有し、前記第二空間と前記第一空間は相互に連通し、前記第二空間は、前記座部では比較的小さく、前記支持部では比較的大きいことを特徴とする、竹製アームチェア。
【請求項２】
前記補強部材は長い棒状であり、前記座椅子ユニットの側面は門型状を形成することを特徴とする、請求項１に記載の竹製アームチェア。
【請求項３】
前記第一竹材の下端は延伸して突出したかかと部を形成し、前記第三竹材には長棒状の第四竹材が連結され、前記第四竹材は手もたれになることを特徴とする、請求項１に記載の竹製アームチェア。
【考案の詳細な説明】
【技術分野】
【０００１】
本考案は家具に関し、特に竹材からなるとともに優れた弾性をもち、人体工学に符合したアームチェアに関する。
【背景技術】
【０００２】
座椅子は、何の材料から作られているかにかかわらず、その構造は一般的に、底部と、支持部と、座部とから構成される。底部は地面と接触し、座部は臀部をその上にのせるために用いられる。支持部は底部と座部の間に連結され、座部を支える役割を果たす。竹材からなる座椅子の種類は少なくないもの、いずれも編んで作られるため、それによって作られた竹製座椅子は弾性に欠け、長時間座っていると疲れやすい。
【考案の概要】
【考案が解決しようとする課題】
【０００３】
そこで、本考案は、人体工学に符合し、優れた弾性をもち、長く座っていても疲れにくい竹製アームチェアを提供することを目的とする。
【課題を解決するための手段】
【０００４】
本考案による竹製アームチェアは、長棒状の第一竹材及び第二竹材及び第三竹材からなる底座と支持部と座部含む座椅子ユニットによって構成される。前記竹材の間には複数の補強部材が設けられ、竹材の間は空間を有し、優れた弾性と強度を提供する。
【考案の効果】
【０００５】
本考案は、複数の座椅子ユニットを平行に配列し、補強部材で直列接続して固定することにより、優れた弾性と強度をもち人体工学に符合しているため、長期間座っていても疲れにくい効果がある。
【図面の簡単な説明】
【０００６】
【図１】本考案の実施例１を示した斜視図である。
【図２】本考案の実施例１の構造を示した説明図である。
【図３】本考案の実施例１を基礎として手もたれを設けない形態を示した斜視図である。
【図４】本考案の実施例２を示した斜視図である。
【図５】本考案の実施例２の構造を示した説明図である。
【考案を実施するための形態】
【０００７】
（実施例１）
図１と図２に示すように、本考案による竹製アームチェアは、複数の長棒状の第一竹材１及び第二竹材２及び第三竹材３と複数の第一補強部材５Ａ及び第二補強部材５Ｂ及び第三補強部材５Ｃとからなる底部Ａと支持部Ｂと座部Ｃとを少なくとも含む座椅子ユニットから構成される。その内、第一竹材１、第二竹材２、第三竹材３は、長い棒状に加工される。図１と図２の実施例において、第一竹材１は比較的大きなＬ形に成型されるとともに、夾角が鋭角である第一弧辺１１と第一直辺１２を備え、第一竹材１の下端は折れ曲がって延伸してかかと部１４を形成する。第二竹材２は比較的小さなＬ形に成型されるとともに、夾角が鋭角である第二弧辺２１と第二直辺２２を備える。第三竹材３はＬ形に成型され、夾角が鈍角である第三弧辺３１と第三直辺３２を有する。第一補強部材５Ａと、第二補強部材５Ｂと、第三補強部材５Ｃは、いずれも長い棒状である。
【０００８】
本考案を組み合わせて座椅子ユニットを形成させる時は、第三竹材３の第三直辺３２を第一竹材１の第一直辺１２上方に重ね、第三弧辺３１と第一弧辺１１の間に夾角を形成させ、第一直辺１２と第三直辺３２の間に少なくとも一つの第一補強部材５Ａを穿設し、第一弧辺１１の一部と第三弧辺３１の間に少なくとも一つの第二補強部材５Ｂを穿設する。それにより、第一直辺１２と第三直辺３２によって優れた弾性を備えた中空の座椅子底部Ａが形成され、第一弧辺１１と第三弧辺３１の間には徐々に変化する第一空間１３が形成される。また、第二竹材２の第二弧辺２１を第一弧辺１１と平行にし、第二直辺２２を第三弧辺３１の上端面に近づけて配置し、さらに第一弧辺１１と第二弧辺２１の間、及び第二直辺２２と第三弧辺３１の間に、少なくとも一つの第三補強部材５Ｃを穿設する。第三補強部材５Ｃは、少なくとも第二弧辺２１の曲がる箇所に配置され、もう一つの第三補強部材５Ｃは第二直辺２２と第三弧辺３１が接近する端部の間に配置され、それにより、第二直辺２２と第三弧辺３１の間は徐々に変化する第二空間３３が形成され、第二空間３３と第一空間１３は連通する。以上の構造により、座部Ｃの後端近くは優れた強度をもつことができ、座部Ｃと支持部Ｂは優れた弾性をもつことができる。本考案を組み立ててアームチェアにする時は、前述の座椅子ユニットを並列に配列し、さらに前述した第一補強部材５Ａと第二補強部材５Ｂと第三補強部材５Ｃを直列接続で固定する。さらに、本考案は、第四竹材４を組み立てた後のアームチェア両側に固定し、使用者を更に快適にさせることができる。また、椅子の両側のアーム部分を設置しないようにすることも可能である（図３に図示）。
【０００９】
（実施例２）
図４と図５は、本考案をアームチェアではない形態にした実施例である。本考案の実施例２は、長棒状の第五竹材６と第六竹材７、及び複数の第四補強部材５Ｄからなる座椅子ユニットから構成される。その内、第五竹材６の内周のサイズは、第六竹材７の外周のサイズより大きく、第五竹材６と第六竹材７は重ねられている。第四補強部材５Ｄは、第五竹材６と第六竹材７の間に穿設され、側面が門型を呈した座椅子ユニットを構成する。複数の座椅子ユニットを平行に配列した後、第四補強部材５を第五竹材６と第六竹材７の間に穿設すると、アームチェアではない形態座椅子が形成される。
【符号の説明】
【００１０】
Ａ      底部
Ｂ      支持部
Ｃ      座部
１      第一竹材
１１    第一弧辺
１２    第一直辺
１３    第一空間
１４    かかと部
２      第二竹材
２１    第二弧辺
２２    第二直辺
３      第三竹材
３１    第三弧辺
３２    第三直辺
３３    第二空間
４      第四竹材
５Ａ    第一補強部材
５Ｂ    第二補強部材
５Ｃ    第三補強部材
５Ｄ    第四補強部材
６      第五竹材
７      第六竹材
【図１】
0003164379.tif 000003
【図２】
0003164379.tif 000004
【図３】
0003164379.tif 000005
【図４】
0003164379.tif 000006
【図５】
0003164379.tif 000007